【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
第１面及びそれに対向する第２面を有する第１繊維層と、第１面及びそれに対向する第２面を有する第２繊維層とを有し、
第１繊維層の第２面と、第２繊維層の第１面とが対向するように積層されており、
第１繊維層と第２繊維層とが部分的に熱融着された接合部が形成され、第１繊維層が、該接合部間で第２繊維層から離れる方向に突出して、凸部を多数形成しており、
第１繊維層及び第２繊維層がいずれも不織布からなっており、
第１繊維層は第１繊維及び第２繊維からなる少なくとも２種類の繊維を含み、
第１繊維及び第２繊維はそれぞれ高融点成分及び低融点成分を含み、
下記式から算出される、第１繊維の前記高融点成分と前記低融点成分との直径比と、第２繊維の前記高融点成分と前記低融点成分との直径比が異なり、第２繊維の直径比Ａ２の値は、１．１以上１．２以下である立体シート。
高融点成分と低融点成分の直径比ＡＸ＝第Ｘ繊維の低融点成分直径Ｄ１÷第Ｘ繊維の高融点成分直径Ｄ２
【請求項２】
前記第１繊維層は第１面側の上層と第２面側の下層とを備えた多層構造からなり、該第１面側の上層及び該第２面側の下層の一方又は両方が複数種類の繊維を含んでいる請求項１に記載の立体シート。
【請求項３】
第１面及びそれに対向する第２面を有する第１繊維層と、第１面及びそれに対向する第２面を有する第２繊維層とを有し、
第１繊維層の第２面と、第２繊維層の第１面とが対向するように積層されており、
第１繊維層と第２繊維層とが部分的に熱融着された接合部が形成され、第１繊維層が、該接合部間で第２繊維層から離れる方向に突出して、凸部を多数形成しており、
第１繊維層及び第２繊維層がいずれも不織布からなっており、
第１繊維層は第１繊維及び第２繊維からなる少なくとも２種類の繊維を含み、
第１繊維層は第１面側の上層と第２面側の下層とを備えた多層構造からなり、一方の層が複数種類の繊維を含み、
第１繊維及び第２繊維はそれぞれ高融点成分及び低融点成分を含み、
下記式から算出される、第１繊維の前記高融点成分と前記低融点成分との直径比と、第２繊維の前記高融点成分と前記低融点成分との直径比が異なる立体シート。
高融点成分と低融点成分の直径比ＡＸ＝第Ｘ繊維の低融点成分直径Ｄ１÷第Ｘ繊維の高融点成分直径Ｄ２
【請求項４】
第１面及びそれに対向する第２面を有する第１繊維層と、第１面及びそれに対向する第２面を有する第２繊維層とを有し、
第１繊維層の第２面と、第２繊維層の第１面とが対向するように積層されており、
第１繊維層と第２繊維層とが部分的に熱融着された接合部が形成され、第１繊維層が、該接合部間で第２繊維層から離れる方向に突出して、凸部を多数形成しており、
第１繊維層及び第２繊維層がいずれも不織布からなっており、
第１繊維層は第１繊維及び第２繊維からなる少なくとも２種類の繊維を含み、
第１繊維層は第１面側の上層と第２面側の下層とを備えた多層構造からなり、一方の層が複数種類の繊維を含み、他方の層が一種類の繊維のみを含んでおり、
第１繊維及び第２繊維はそれぞれ高融点成分及び低融点成分を含み、
下記式から算出される、第１繊維の前記高融点成分と前記低融点成分との直径比と、第２繊維の前記高融点成分と前記低融点成分との直径比が異なる立体シート。
高融点成分と低融点成分の直径比ＡＸ＝第Ｘ繊維の低融点成分直径Ｄ１÷第Ｘ繊維の高融点成分直径Ｄ２
【請求項５】
前記第１繊維は前記第２繊維よりも直径比が大きく、
前記第２繊維は、前記第２面側の下層に少なくとも含まれている請求項１ないし４のいずれか一項に記載の立体シート。
【請求項６】
第１面及びそれに対向する第２面を有する第１繊維層と、第１面及びそれに対向する第２面を有する第２繊維層とを有し、
第１繊維層の第２面と、第２繊維層の第１面とが対向するように積層されており、
第１繊維層と第２繊維層とが部分的に熱融着された接合部が形成され、第１繊維層が、該接合部間で第２繊維層から離れる方向に突出して、凸部を多数形成しており、
第１繊維層及び第２繊維層がいずれも不織布からなっており、
第１繊維層は第１繊維及び第２繊維からなる少なくとも２種類の繊維を含み、
第１繊維層は第１面側の上層と第２面側の下層とを備えた多層構造からなり、
第１繊維及び第２繊維が第２面側の下層に含まれており、
第１繊維及び第２繊維はそれぞれ高融点成分及び低融点成分を含み、
下記式から算出される、第１繊維の前記高融点成分と前記低融点成分との直径比Ａ１の値が、１．３以上２．０以下であり、第２繊維の前記高融点成分と前記低融点成分との直径比Ａ２の値が、Ａ１よりも小さいことを条件として１．１以上１．８以下である立体シート。
高融点成分と低融点成分の直径比ＡＸ＝第Ｘ繊維の低融点成分直径Ｄ１÷第Ｘ繊維の高融点成分直径Ｄ２
【請求項７】
請求項１ないし６のいずれか一項に記載の立体シートを用いた吸収性物品。
【手続補正２】
【補正対象書類名】明細書
【補正対象項目名】００２７
【補正方法】変更
【補正の内容】
【００２７】
上述のＰ１とＰ２との大小関係が満たされるようにするためには、第１繊維層１１及び第２繊維層１２を構成する繊維として、特定の繊維を用いることが有利である。特に、第１繊維層１１に関しては、該第１繊維層１１が第１面側の上層と第２面側の下層とを備えた多層構造からなり、該上層及び該下層の一方又は両方が複数種類の繊維を含んでいることが好ましい。この複数種類の繊維は、第１繊維及び第２繊維からなる少なくとも２種類の繊維を含むことが好ましい。そして第１繊維及び第２繊維はそれぞれ、高融点成分、及び該高融点成分よりも融点の低い低融点成分を含むものであることが好ましい。この場合、第１繊維の高融点成分と第２繊維の高融点成分は同種のものであってもよく、あるいは異種のものであってもよい。また、第１繊維の低融点成分と第２繊維の低融点成分は同種のものであってもよく、あるいは異種のものであってもよい。第１繊維及び第２繊維それぞれとして、高融点成分、及び該高融点成分よりも融点の低い低融点成分を含むものを用いることが好ましい理由は、高融点成分を含む繊維を用いることで、低融点成分を含む繊維を用いた場合に比べて、繊維どうしの融着の程度が少なくなるからである。この理由の詳細については後述する。第１繊維と第２繊維とは、直径比が異なることで区別されるものである。本明細書において直径比とは、第１繊維及び第２繊維それぞれの高融点成分の直径と低融点成分との直径（μｍ）の比率のことである。高融点成分の直径及び低融点成分の直径とは、例えば第１及び第２繊維が芯鞘型複合繊維であり、鞘樹脂が低融点成分からなり、芯樹脂が高融点成分からなる場合には、図３に示すＤ１が低融点成分Ｃ１の直径であり、Ｄ２が高融点成分Ｃ２の直径である。そして、第Ｘ繊維の高融点成分Ｃ２と低融点成分Ｃ１の直径比ＡＸは、以下の式から算出される。ここで、「同種の熱融着性繊維」とは、繊維を構成する樹脂が同一であって、且つ、構造も同一であるものを言う。例えば、高融点成分と低融点成分からなる芯鞘型複合繊維が２本ある場合、これら２本が有する高融点成分と低融点成分がそれぞれ同一の樹脂であり、且つ、芯鞘の直径比が同一であるとき、これら２本は同種の熱融着性繊維である。一方、高融点成分と低融点成分がそれぞれ同一の樹脂であっても、直径比が異なる場合は、異種の熱融着性繊維である。また、「複数種類の繊維を含む」とは、異種の熱融着性繊維を含んでいることを言う。
第Ｘ繊維の直径比ＡＸ＝第Ｘ繊維の低融点成分直径Ｄ１（μｍ）÷第Ｘ繊維の高融点成分直径Ｄ２（μｍ）
【手続補正３】
【補正対象書類名】明細書
【補正対象項目名】００８７
【補正方法】変更
【補正の内容】
【００８７】
【表２】
2017024411.tif 000001
【手続補正４】
【補正対象書類名】明細書
【補正対象項目名】００８８
【補正方法】変更
【補正の内容】
【００８８】
【表３】
2017024411.tif 000002